(57)【要約】      （修正有）【課題】ガス器具の安全定時制御装置を提供する。【解決手段】ガス器具の安全定時制御装置１は、電磁スイッチＭと、第１タイミングコントローラＴ１と、第２タイミングコントローラＴ２と、電源コンバータＣと、警報手段Ｂとを含む。第１タイミングコントローラによりガス器具の予定使用時間をカウントすることで、電磁スイッチに転送された電力を制御し、ガス器具のガス通路Ｇの開閉を制御する。ガスを火元に継続的に供給することによる爆発が発生する危険を避け、或いは、ガス器具が継続的に不完全燃焼となりＣＯ中毒になる危険を避けられる。【選択図】図１
0003200571.tif 000002
【実用新案登録請求の範囲】
【請求項１】
通電状態または断電状態によってガス通路を開閉する電磁スイッチと、
ガス器具の予定使用時間をカウントし、給電手段に電気的に接続された第１タイミングコントローラと、
前記電磁スイッチに電気的に接続され、前記電磁スイッチの通電時間をカウントする第２タイミングコントローラと、
前記第１タイミングコントローラ及び前記第２タイミングコントローラに電気的に接続され、前記給電手段からの電力を第１タイミングコントローラから第２タイミングコントローラに切り替える電源コンバータと、
前記第１タイミングコントローラに電気的に接続され、前記ガス器具が予定使用時間になった後、前記第１タイミングコントローラが警報信号を発生するように警報手段を制御する警報手段と、を含み、
前記電磁スイッチは、前記予定使用時間内に前記ガス通路を開く通電状態となり、前記第１タイミングコントローラが前記予定使用時間になった時点で、前記第１タイミングコントローラが前記電磁スイッチが前記ガス通路を閉める断電状態となるように、前記給電手段との電気的接続を切断することを特徴とする、
ガス器具の安全定時制御装置。
【請求項２】
前記電磁スイッチは、ガス通路の一方の開口に接続されたケースと、前記ガス通路内に設けられた弁栓と、第１端が前記ケースを貫通し前記弁栓に接続されたリンクと、前記ケースに設けられ、前記リンクの第１端に環設したコイルばねと、磁力を発生して前記リンクの第２端を吸着する電磁石と、を備え、前記電磁石は、前記予定使用時間内に通電状態となり、前記電磁石は、前記コイルばねの復元力を抵抗可能な磁力を発生し、前記リンクの前記第２端を吸着させることで、前記ガス通路を開放し、前記電磁スイッチが断電状態となると、前記電磁石の磁力が失い、前記弁栓は前記コイルばねの復元力により前記ガス通路を閉めることを特徴とする請求項１記載のガス器具の安全定時制御装置。
【請求項３】
前記リンクは、磁性に吸着可能な材質を含むことを特徴とする請求項２記載のガス器具の安全定時制御装置。
【請求項４】
さらに、前記電磁石を被覆する第１コイルと第２コイルとを含み、前記第２タイミングコントローラは、前記電磁スイッチの通電時間によって前記第１コイルまたは前記第２コイルに電気的に接続されるようになり、前記電磁スイッチの通電時間３秒内に、前記第２タイミングコントローラは前記第１コイルに電気的に接続され、前記電磁スイッチの通電時間３秒を超えた後、前記第２タイミングコントローラは、前記第２コイルに電気的に接続されることを特徴とする請求項２記載のガス器具の安全定時制御装置。
【請求項５】
前記第１コイルに通した第１電流は、前記第２コイルに通した第２電流よりも大きいことを特徴とする請求項４記載のガス器具の安全定時制御装置。
【請求項６】
さらに、前記警報手段の警報時間をカウントし、前記第１タイミングコントローラ及び前記警報手段に電気的に接続された第３タイミングコントローラを含むことを特徴とする請求項１記載のガス器具の安全定時制御装置。
【請求項７】
前記電力供給手段は、前記第１タイミングコントローラに交流電流を入力し、前記電源コンバータを介して直流電流に変換して前記第２タイミングコントローラに入力することを特徴とする請求項１記載のガス器具の安全定時制御装置。
【請求項８】
前記電源コンバータは、変圧器を含むことを特徴とする請求項１記載のガス器具の安全定時制御装置。
【請求項９】
前記警報手段は、ブザーまたは警報ランプを含むことを特徴とする請求項１記載のガス器具の安全定時制御装置。
【請求項１０】
さらに、前記第１タイミングコントローラに電気的に接続されたＣＯ・ガス漏えい検知器を含み、前記ＣＯ・ガス漏えい検知器は、前記ガス通路の外に漏れたガスまたはガス不完全燃焼で生じたＣＯの濃度が所定値を超えたと検知したとき、前記第１タイミングコントローラに給電手段との電気的接続を切断させるとともに警報手段と通路を形成するように、前記第１タイミングコントローラまでに電気信号を発生させることを特徴とする請求項１記載のガス器具の安全定時制御装置。
【請求項１１】
前記ガス器具は、ガスコンロもしくは湯沸かし器を含むことを特徴とする請求項１記載のガス器具の安全定時制御装置。
【請求項１２】
前記第１タイミングコントローラ、前記第２タイミングコントローラ、及び前記第３タイミングコントローラは、時間継電器であることを特徴とする請求項６記載のガス器具の安全定時制御装置。
【考案の詳細な説明】
【技術分野】
【０００１】
本考案は、ガス器具の安全定時制御装置に関し、特に、電磁石でガス器具のガス通路の開閉を制御するガス器具の安全定時制御装置に関する。
【背景技術】
【０００２】
科学技術の進歩に伴い、人々は、日常生活において油、電気、水など様々なエネルギーを幅広く利用しており、ガスも、現在人々の生活において不可欠なエネルギーとなってきた。ガスを使ったガス器具、例えばガスコンロや湯沸かし器は、ガスを使う過程で管路を介してガスを搬送するため、ガス器具を便利に使うことができる。
【０００３】
しかしながら、ガス器具には、利用上の利便性があるが、危険性も同時に存在している。例えば、ガスコンロを使用する際に、万が一、使用者が急に用事に邪魔されてガスコンロから離れ、ガスコンロでまだクッキングしていることを忘れてしまい、そのまま置きっぱなしで加熱され続けると、ガスコンロの空焼き状態になり、爆発の危険が生じやすい。
【０００４】
なお、天然ガスを使った湯沸かし器は、ガスを燃焼用のエネルギー源とするが、多くの使用者は、天気が寒い時に、扉と窓を閉め、密閉した浴室の空間内でシャワーを使用することが好きである。そのため、ガスが完全に燃焼されずＣＯ（一酸化炭素）の漏えいを生じてしまったり、ガスがガスパイプから流出されると、使用者が中毒する危険が発生しやすい。
【０００５】
そこで、ガス器具の安全制御装置及びＣＯ・ガス漏えい検知器を如何に提供するかが、現在特に克服しなければならない問題となっている。
【考案の概要】
【考案が解決しようとする課題】
【０００６】
上記に鑑みて、本考案は、タイマーで時間をカウントし、ガス器具が予定使用時間になった後、安全定時制御装置の電源を切ってガス器具のガス管路を遮断することで、火元にガスを継続的に供給することを避ける、ガス器具の安全定時制御装置を提供する。
【課題を解決するための手段】
【０００７】
本考案に係るガス器具の安全定時制御装置は、第１タイミングコントローラと、第２タイミングコントローラと、電源コンバータと、電磁スイッチと、警報手段とを含む。電磁スイッチは、通電状態または断電状態によってガス通路を開閉する。第１タイミングコントローラは、ガス器具の予定使用時間をカウントし、さらに、給電手段に電気的に接続される。第２タイミングコントローラは、電磁スイッチに電気的に接続され、電磁スイッチの通電時間をカウントする。電源コンバータは、第１タイミングコントローラ及び第２タイミングコントローラに電気的に接続され、前記給電手段からの電力を第１タイミングコントローラから第２タイミングコントローラに切り替える。警報手段は、第１タイミングコントローラに電気的に接続され、ガス器具が予定使用時間になった後、第１タイミングコントローラは、警報信号を発生するように警報手段を制御し、ここで、電磁スイッチは、予定使用時間内にガス通路を開く通電状態となり、第１タイミングコントローラが予定使用時間になった時点で、第１タイミングコントローラは、電磁スイッチがガス通路を閉める断電状態となるように、給電手段との電気的接続を切断する。
【０００８】
また、本考案に係るガス器具の安全定時制御装置は、さらに、前記第１タイミングコントローラに電気的に接続されたＣＯ・ガス漏えい検知器を含み、前記ＣＯ・ガス漏えい検知器は、前記ガス通路の外に漏れたガスまたはガス不完全燃焼で生じたＣＯの濃度が所定値を超えたと検知したとき、第１タイミングコントローラに給電手段との電気的接続を切断させるとともに、警報手段と接続して警報信号を発送するように、前記第１タイミングコントローラまでに電気信号を発生させるように構成される。
【０００９】
上記のように、本考案に係るガス器具の安全定時制御装置は、一般使用者の日常生活に利用され、さらに、操作便利なタイマーインターフェイスにより、高齢者または幼い使用者であっても、ガス器具開閉時間を便利、快速、簡易に設定できるようになり、ガス器具によりガスを火元に継続的に供給することで爆発を発生する危険を避け、或いは、ガス器具が継続的に不完全燃焼となりＣＯ中毒になる危険を避けられる。
【図面の簡単な説明】
【００１０】
【図１】本考案に係るガス器具の安全定時制御装置の通電前状態を示す図である。
【図２】本考案に係るガス器具の安全定時制御装置の通電初期状態を示す図である。
【図３】本考案に係るガス器具の安全定時制御装置の使用中状態を示す図である。
【図４】本考案のガス器具の安全定時制御装置が予定使用時間になったことを示す図である。
【図５】本考案のガス器具の安全定時制御装置の第３タイミングコントローラを示す図である。
【図６Ａ】本考案のガス器具の安全定時制御装置のＣＯ・ガス漏えい検知器の動作を示す図である。
【図６Ｂ】本考案のガス器具の安全定時制御装置のＣＯ・ガス漏えい検知器の動作を示す図である。
【考案を実施するための形態】
【００１１】
図１は、本考案に係るガス器具の安全定時制御装置の通電前状態を示す図である。本考案のガス器具の安全定時制御装置１は、第１タイミングコントローラＴ１と、第２タイミングコントローラＴ２と、電磁スイッチＭと、電源コンバータＣと、警報手段Ｂとを含む。
電磁スイッチＭは、弁栓Ｍ１、電磁石Ｍ２、コイルばねＭ３、ケースＭ４、及びリンクＭ５を含み、ケースＭ４は、ガス通路Ｇの一方の開口に接続され、弁栓Ｍ１がガス通路Ｇ内に設けられ、リンクＭ５の第１端Ｍ５１がケースＭ４を貫通し弁栓Ｍ１に接続され、コイルばねＭ３が、リンクＭ５の第１端Ｍ５１に環設しケースＭ４に設けられ、リンクＭ５の第２端Ｍ５２が電磁石Ｍ２の発生する磁力によって作動する。
第１タイミングコントローラＴ１は、ガス器具の予定使用時間をカウントし、しかも、給電手段Ｖに電気的に接続される。第２タイミングコントローラＴ２は、電磁スイッチＭに電気的に接続され、電磁スイッチＭの通電時間をカウントする。電源コンバータＣは、第１タイミングコントローラＴ１及び第２タイミングコントローラＴ２に電気的に接続され、給電手段Ｖからの電力を第１タイミングコントローラＴ１から第２タイミングコントローラＴ２に切り替える。警報手段Ｂは、第１タイミングコントローラＴ１に電気的に接続され、ガス器具が所定使用時間になった後、第１タイミングコントローラＴ１は、警報信号を発生するように警報手段Ｂを制御する。
【００１２】
ここで、電磁スイッチＭは、予定使用時間内に通電状態となり、電磁石Ｍ２は、コイルばねＭ３の復元力を抵抗可能な磁力を発生し、リンクＭ５の第２端Ｍ５２を吸着させ、ガス通路Ｇを開放し、第１タイミングコントローラＴ１が予定使用時間になった時点で、第１タイミングコントローラＴ１は、給電手段Ｖとの電気的接続を切って、電磁スイッチＭを断電状態にさせる。すると、電磁石Ｍ２の磁力が失い、弁栓Ｍ１はコイルばねＭ３の復元力によりガス通路Ｇを閉める。より詳しく言えば、電磁石Ｍ２の内部は凹溝を有し、電磁スイッチＭが通電状態になると、電磁石Ｍ２の発生する磁力でリンクＭ５を凹溝内に移動させ、それに伴いリンクＭ５に接続する栓Ｍ１を移動させることで、ガス通路Ｇを開き、電磁スイッチＭが断電状態になると、リンクＭ５が凹溝の外へ移動し、それに伴いリンクＭ５に接続する栓Ｍ１を移動させることで、ガス通路Ｇを閉める。
【００１３】
以上のように、本考案のガス器具の安全定時制御装置１は、ガスコンロまたは湯沸かし器などのガス器具に適用することができ、使用者がガス器具を使う時に、使用しようとする時間によって予め設定することができる。例えば、使用者がガスコンロで調理する時に、第１タイミングコントローラＴ１でガスコンロの開時間を設定することができ、ガスコンロの調理時間を設定しカウントする。同様に、本考案のガス器具の安全定時制御装置１を湯沸かし器に適用することができ、使用者が湯沸かし器を使用しようとする時間によって設定することができる。本考案の実施例では、第１タイミングコントローラＴ１は、テンキーパッドインターフェイスであり、無段式でカウント時間を任意に設定し、最も長い設定時間は９０分である。
【００１４】
第２〜４図は、本考案に係るガス器具の安全定時制御装置の通電初期状態を示す図、使用中状態を示す図、及び予定使用時間になったことを示す図である。
本考案は、さらに、電流を通した後に磁力を発生可能な電磁石Ｍ２で、ガス通路Ｇの開閉を制御する。その原理として、電磁石Ｍ２は非永久磁石であり、電磁石Ｍ２が電気を通したときに磁力を有し、断電した後磁力を失うため、ガス器具の安全定時制御装置１の第１タイミングコントローラＴ１が給電手段Ｖに電気的に接続されると、電磁石Ｍ２は、コイルばねＭ３の復元力を抵抗可能な磁力を発生してリンクＭ５を上へ吸着させるが、リンクＭ５の第１端Ｍ５１が弁栓Ｍ１に接続されるため、リンクＭ５が上へ吸着されたとき、閥栓Ｍ１もリンクＭ５とともに上へ吸着される。これによって、ガス通路Ｇを開き、断電状態時には、電磁石Ｍ２の磁力は失い、コイルばねＭ３の復元力で閥栓Ｍ１を、ガス通路Ｇを閉める位置まで押し付ける。ここで、リンクＭ５は、電磁石Ｍ２が通電して磁力を発生する時に吸着可能に、磁性に吸着可能な材質を含む。また、本考案の実施例では、リンクＭ５は、電磁石Ｍ２の通電時の磁力誘導範囲のみに設置すれば、リンクＭ５を磁力によって吸着することができる。
【００１５】
上記のように、ガス器具の安全定時制御装置１の第１タイミングコントローラＴ１がオンしてカウントし始めた後、給電手段Ｖが発生する電力は、電源コンバータＣにより第２タイミングコントローラＴ２に切り替えるとともに、第２タイミングコントローラＴ２を介して電磁スイッチＭの電磁石Ｍ２に電力を転送するように構成される。引き続いて、第２タイミングコントローラＴ２は、電磁スイッチＭの通電時間をカウントし、通電時間によって電流を通すコイルを選ぶ。さらに、ガス器具の安全定時制御装置１は、電磁石Ｍ２を被覆する第１コイルＬ１と第２コイルＬ２とを含み、第２タイミングコントローラＴ２は、電磁スイッチＭの通電時間によって第１コイルＬ１または第２コイルＬ２に電気的に接続されるようになっている。
例えば、本考案の実施例では、２〜３秒の通電時間内に、第２タイミングコントローラＴ２は第１コイルＬ１のある電気回路に電気的に接続され、電磁石Ｍ２に３００ｍＡ（図２のＩ１）の第１電流Ｉ１を供給して、大きな磁力を発生させ、コイルばねＭ３の復元力に抵抗するように構成される。２〜３秒の通電時間が経った後、電磁石Ｍ２がすでにコイルばねＭ３の復元力を克服するため、第２タイミングコントローラＴ２は、第１コイルＬ１の電気回路との接続を切断し、第２コイルＬ２を有する電気回路と代わって電気的に接続し、電磁石Ｍ２に１６０ｍＡ（図３のＩ２）の第２電流Ｉ２を供給し、供給した第二電流Ｉ２は第１電流Ｉ１よりも小さい。
よって、本考案のガス器具の安全定時制御装置１は、さらに、約５０％の負荷電流を減らすことができ、長時間にわたる使用下で、電流を通したコイルは、供給した電流が大きすぎた場合に燃焼することを避けられる。また、コイルばねＭ３の線径及び弾性係数は、さらに、弁栓Ｍ１がガス通路Ｇを開くスピードを制御するように、第１電流Ｉ１の大きさによって選択することができる。本考案の実施例では、３００ｍＡの第１電流Ｉ１によって、０．６ｍｍ線径のコイルばねＭ３を選択すればよい。
【００１６】
ガスコンロを例にする。予定の切断時間になった時点で、予定する調理時間になったと表示するので、ガスコンロのガス通路Ｇを自動的に閉め、ガスコンロによりガスを火元に供給し続けて爆発が発生する危険を避けられる。同様に、使用者が使用している湯沸かし器が予定の使用時間になった時点で、使用者が湯沸かし器を使い終えたと表示するので、ガスコンロのガス通路Ｇを自動的に閉め、湯沸かし器が完全に燃焼されずＣＯ中毒の危険が発生する恐れを避けられる。
【００１７】
警報手段Ｂは、第１タイミングコントローラＴ１によって給電手段Ｖに電気的に接続される。第１タイミングコントローラＴ１が予定使用時間になっていないとき、警報手段Ｂが給電手段Ｖとは遮断状態になり、第１タイミングコントローラＴ１が予定使用時間になった時点で、警報手段Ｂは第１タイミングコントローラＴ１によって給電手段Ｖに電気的に接続されて警報信号を発生するように構成される。
【００１８】
図５は、本考案のガス器具の安全定時制御装置の第３タイミングコントローラを示す図である。本考案のガス器具の安全定時制御装置１は、さらに、第３タイミングコントローラＴ３を含み、警報手段Ｂの警報時間をカウントし、さらに第１タイミングコントローラＴ１及び警報手段Ｂに電気的に接続されるように構成される。
警報手段Ｂの警報時間は、５〜１０秒であり、使用者にガス器具のガス通路Ｇが閉められたことを知らせる。ガス器具が予定使用時間になった後、第１タイミングコントローラＴ１を第３タイミングコントローラＴ３に電気的に接続するように切替し、第３タイミングコントローラＴ３をさらに給電手段Ｖに電気的に接続させ、警報手段Ｂの警報時間になった時点で、第３タイミングコントローラＴ３により警報手段Ｂと第１タイミングコントローラＴ１との電気的接続を切断する。
【００１９】
なお、本考案の実施例では、警報手段Ｂは、ブザーまたは警報ランプを含み、音の大きさは固定的であってよく、小から大へ漸進的なものであってもよい。警報ランプは、ＬＥＤなどの発光装置を含む。また、本考案の第１タイミングコントローラＴ１、第２タイミングコントローラＴ２、及び第３タイミングコントローラＴ３は、時間継電器である。
【００２０】
また、本考案のガス器具の安全定時制御装置１は、ガス器具の予定使用時間をカウントする機能を有する外、さらに、ガス器具がガス漏えいかガス不完全燃焼でＣＯを発生するかを検知する機能を含む。図６Ａ及び図６Ｂは、本考案のガス器具の安全定時制御装置のＣＯ・ガス漏えい検知器の動作を示す図である。
ＣＯ・ガス漏えい測定器Ｓは、第１タイミングコントローラＴ１に電気的に接続され、ＣＯ・ガス漏えい検知器Ｓが、ガス通路Ｇの外に漏えいしたガスまたはガス不完全燃焼で発生するＣＯの濃度が所定値を超えると検知した場合、第１タイミングコントローラＴ１に電気信号を発生し、第１タイミングコントローラＴ１により給電手段Ｖとの電気的接続を切って、さらに、電源コンバータＣが第１タイミングコントローラＴ１を介して給電手段Ｖからの電力を第１タイミングコントローラＴ１から第２タイミングコントローラＴ２に切り替えることができないため、電磁石Ｍ２に電力を供給できない。電磁石Ｍ２に電気を通していない場合、電磁石Ｍ２は磁力を失い、弁栓Ｍ１がコイルばねＭ３の復元力によってガス通路Ｇを閉め、ガス器具が火元にガスを継続的に供給することが避けられる。第１タイミングコントローラＴ１が、給電手段Ｖとの電気的接続を切った後、警報手段Ｂに電気的に接続される。
本考案の実施例では、ＣＯまたはガス濃度の所定値は、それぞれの国に定められた標準値に従って設ければよい、あるいは、使用者によって自分で所定値の大きさを設定してもよい。また、本考案のＣＯ・ガス漏えい検知器Ｓは、ガス器具の安全定時制御装置に内蔵されてもよい、あるいは、外部のガス器具の安全定時制御装置に電気的に接続されてもよい。
【００２１】
本考案の実施例では、給電手段Ｖは、交流電流を第１タイミングコントローラＴ１に入力し、電源コンバータＣを介して直流電流に変換して第２タイミングコントローラＴ２に入力する。給電手段Ｖが入力する交流電流はそれぞれの国の電圧によって異なる。例えば、台湾の場合、本考案のガス器具の安全定時制御装置１を使用するとき、給電手段Ｖが入力する交流電流は１１０Ｖで、電源コンバータＣによりＡＣ１１０Ｖの交流電流をＤＣ１２Ｖの直流電流に変換して第２タイミングコントローラＴ２に入力する。また、本考案の実施例では、電源コンバータＣは、変圧器などの電源変換可能な電気器具を含む。
【００２２】
上記で説明したように、本考案のガス器具の安全定時制御装置は、一般使用者の日常生活に利用され、さらに、操作便利なタイマーインターフェイスにより、高齢者または幼い使用者でも、ガス器具開閉時間を便利、快速、簡易に設定できるようになり、ガス器具によりガスを火元に継続的に供給することで爆発が発生する危険を避け、或いは、ガス器具が継続的に不完全燃焼となりＣＯ中毒になる危険を避けられる。
【符号の説明】
【００２３】
１      ガス器具の安全定時制御装置
１      基板
Ｔ１    第１タイミングコントローラ
Ｔ２    第２タイミングコントローラ
Ｔ３    第３タイミングコントローラ
Ｍ      電磁スイッチ
Ｍ１    弁栓
Ｍ２    電磁石
Ｍ３    コイルばね
Ｍ４    ケース
Ｍ５    リンク
Ｍ５１  第１端
Ｍ５２  第２端
Ｂ      警報手段
Ｃ      電源コンバータ
Ｖ      給電手段
Ｉ１    第１電流
Ｉ２    第２電流
Ｌ１    第１コイル
Ｌ２    第２コイル
Ｓ      ＣＯ・ガス漏えい検知器
Ｇ      ガス通路
【図１】
0003200571.tif 000003
【図２】
0003200571.tif 000004
【図３】
0003200571.tif 000005
【図４】
0003200571.tif 000006
【図５】
0003200571.tif 000007
【図６Ａ】
0003200571.tif 000008
【図６Ｂ】
0003200571.tif 000009